(57)【要約】【課題】  カップ容器の開口部から剥離した後に再度密封するカップ容器の蓋材において、簡単に当初の密封状態を再現することが可能な蓋材と、それを用いたカップ用品の製造方法を提供する。【解決手段】    カップ容器の開口部外側面に沿って折り返すことができるよう開口部を越える連続したフラップを有し、前記フラップに折り込み手段が形成されていることを特徴としたカップ容器の蓋材により解決される。【選択図】図３
2014055030.tif 000002
【特許請求の範囲】
【請求項１】
カップ容器の開口部外側面に沿って折り返すことができるよう開口部を越える連続したフラップを有し、前記フラップに折り込み手段が形成されていることを特徴としたカップ容器の蓋材。
【請求項２】
カップ容器の開口部外側面に沿って折り返すことができるよう複数のフラップを有し、前記フラップの外形が少なくとも前記カップ容器の開口部を覆う蓋材本体との連接部において曲線により形成されていることを特徴としたカップ容器の蓋材。
【請求項３】
蓋材本体とフラップとの連接部に折り手段が形成されたことを特徴とした請求項１及び２の何れかに記載のカップ容器の蓋材。
【請求項４】
フラップ内部に折り手段が形成されたことを特徴とした請求項１乃至３の何れかに記載のカップ容器の蓋材。
【請求項５】
カップ容器とその蓋材からなるカップ容器製品の製造方法であって、容器の開口部を越える連続した或いは複数のフラップを有する蓋材を前記容器の開口部で剥離可能に接着した後に、前記容器の外側面に沿って前記フラップを収縮フィルムシートの収縮力により折り込みながら包装することを特徴としたカップ容器製品の製造方法
【発明の詳細な説明】
【技術分野】
【０００１】  本発明は、お湯を注ぐことにより簡便に食すことが可能であるカップ麺等に使用されるカップ容器と蓋に関する。
【背景技術】
【０００２】  従来、カップ麺等は、イージーピールの蓋材をカップ容器の開口部から一部剥がし、お湯を注いだ後に前記剥がした蓋材を閉め直し、一定の時間が経過してから喫食するものであった。ところでお湯を注いだ後に剥がした蓋材を閉め直すに当たり、水蒸気や熱の放散を防ぐために密閉性を向上させる必要がある。そのため、例えば特開２００２−１１４２７７号公報に記載されるカップ容器と蓋の組み合わせが考えられる。
【先行技術文献】
【０００３】
【特許文献１】特開２００２−１１４２７７号公報
【発明の概要】
【発明が解決しようとする課題】
【０００４】  前記特許文献の発明ではカップ容器の開口部に密着する蓋の剥がした部分全てを、満遍なく開口部へ復帰して密着させることが可能である。然るに前記構成では製造工程において、容器の開口部から突出した蓋のフラップを容器の側面に沿って折り込む作業が追加され、そのために新たなシステムと工程の追加を必要とする。【０００５】  本発明は、上記問題に鑑み、折り込みフラップを有する蓋材を使用したカップ容器と蓋の組み合わせにおいて、新たなシステムや工程の追加を必要とせず、容器の開口部側面に沿ってフラップが折り込まれた製品を容易に製造するための、カップ容器の蓋材と及びそれを用いたカップ容器と蓋材の一体化方法を提供するものである。
【課題を解決するための手段】
【０００６】  上記目的を達成するために、本発明のカップ容器の蓋材は、カップ容器の開口部外側面に沿って折り返すことができるよう開口部を越える連続したフラップを有し、前記フラップに折り込み手段が形成されていることを特徴としている。【０００７】  また、上記目的を達成するために、本発明の異なる態様のカップ容器の蓋材は、カップ容器の開口部外側面に沿って折り返すことができるよう複数のフラップを有し、前記フラップの外形が少なくとも前記カップ容器の開口部を覆う蓋材の本体との連接部において曲線により形成されていることを特徴としている。【０００８】  さらに、本発明のカップ容器製品の製造方法は、カップ容器とその蓋材からなるカップ容器製品の製造方法であって、容器の開口部を越える連続した或いは複数のフラップを有する蓋材を前記容器の開口部で剥離可能に接着した後に、前記容器の外側面に沿って収縮フィルムの収縮力により前記フラップを折り込みながら包装することを特徴としている。【０００９】  なお、前記フラップの折り込みを促進するように、蓋材における容器の開口部分と該当する部分のフラップ連接部に、ミシン目や折り筋或いはハーフスリット等の公知の折り手段が形成されていても構わない。【００１０】  また、前記ミシン目や折り筋或いはハーフスリット等の折り手段は、フラップ内の任意の部分に直線或いは曲線さらには両者の混合形態で自由に設けることができる。【００１１】  本発明で使用するカップ容器は、発泡ＰＳＰのシート成型やＥＳＰ射出成型容器などのプラスチック容器、紙を主材料にした容器、その両者の組み合わせの容器等を選択することができる。【００１２】  また、本発明で使用する蓋材は、例えばその構成中に７〜９μｍの厚さのアルミニウム箔がラミネートされた、数１０〜１００ｇ／米坪程度のデッドホールド性を有する紙を主体としたイージーピール用の蓋材を好適に使用することができる。なおフラップを容易に容器の側面に沿わすためには、できるだけ重量が軽く薄い蓋材が選択される。【００１３】  フラップは多ければ多いだけカップ容器の開口部との密着性が向上する。開口部より大き目の蓋材により、前記開口部からはみ出している部分をフラップとみなして容器の側面に沿うように折り畳んでも構わない。その場合、折り畳みが速やかに実行できるよう、予めミシンや折り筋等の折り手段を形成しておいても構わない。【００１４】  カップ容器に蓋材を密着した製品は次に収縮フィルムシートにより全体を包装する。前記収縮フィルムシートとしては、２０〜１００μｍの厚さのＰＰ系或いはＰＰバリヤー共押出系等を好適に使用することができる。
【発明の効果】
【００１５】  本発明の折り込みフラップを有する蓋材を使用したカップ容器によれば、今までの工程のままでユーザーの取り扱いが極めて至便な再密封性の高いカップ麺等のカップ用品を提供することが可能になる。
【図面の簡単な説明】
【００１６】
【図１】実施例１で使用する蓋材Ｆ１の平面図である。
【図２】蓋材Ｆ１とカップ容器Ｃの接着状態を示す要部概略斜視図である。
【図３】蓋材Ｆ１を使用して完成したカップ用品の斜視図である。
【図４】蓋材Ｆ１を使用して完成したカップ用品の断面図である。
【図５】実施例２で使用する蓋材Ｆ２の平面図である。
【図６】蓋材Ｆ２を使用して完成したカップ用品の斜視図である。
【図７】蓋材Ｆ３の平面図である。
【発明を実施するための形態】
【００１７】  以下本発明の実施の形態を図面に基づいて具体的に説明する。
【実施例１】  図１に示すように、本実施例で使用する蓋材Ｆ１は、カップ容器Ｃの開口部６を覆い密閉する内側の円３の内部側の本体１と、前記本体１の外側で図６に示すようにカップ容器Ｃの開口部６からはみ出すフラップ２とからなる。なお前記蓋材Ｆ１は内側の円３部分がカップ容器Ｃの開口部６と対応し、その部分において開口部６と剥離可能に接着する。【００１８】  蓋材Ｆ１の材質は、例えば、紙／ＰＥ／ＡＬ／ＥＡＡ＋ＥＶＡからなるイージーピール用の蓋材を好適に使用することができる。そしてフラップ部分には例えば山折りの折り筋３、４と谷折りの折り筋５が形成されている。【００１９】  既述のように構成された蓋材Ｆ１は、図２に示すように本体１の外周の円３をカップ容器Ｃの開口部６と合致させて剥離可能に貼り合わされる。なお図中カップ容器Ｃの内部には、実際は麺やスープその他の具材が封入されることになるが、複雑化を避けるため空の状態で示している。【００２０】  前記封入後の蓋材Ｆ１はフラップ２が鍔状にカップ容器Ｃの開口部６からはみ出した状態であるが、その後の収縮フィルムＳによる包装工程で開口部６の外側面へ収縮フィルムＳの収縮と共に強制的に折り畳まれることになる。その際に山折り及び谷折りの折り筋３、４及び５に誘導され、図３及び図４に示すように折り返し部を有する蓋となってカップ容器Ｃの開口部６を密閉するのである。【００２１】  この製品を喫食するには最初に収縮フィルムＳを剥がし取り、次に蓋材Ｆ１の折り返されたフラップ２を必要部分だけ捲り上げ、さらに前記捲り上げた部分のカップ容器Ｃの開口部６と接着している部分を剥離しながら、蓋材Ｆ１をカップ容器Ｃの開口部６から引き剥がす。そして前記開封部分からお湯を注いだ後に蓋材Ｆ１を元に戻すのであるが、蓋材Ｆ１の材質がデッドホールド性（塑性変型力）を有するため、開口部６においてフラップ２を捲り上げる以前の密封状態に復元することは極めて容易である。使用者は開口部６に蓋材Ｆ１を押し当てた後に、フラップ２をカップ容器Ｃの開口部６側面に沿って押し当てるだけで済む。
【実施例２】
【００２２】  図５に示すように、本実施例では既述の実施例１の蓋材Ｆ１と異なる形状の蓋材Ｆ２を使用する。同図はカップ容器Ｃの開口部６に接着する本体９の外周部分である円７から突出するように複数のフラップ８が形成されている。そして隣り合うフラップ８が曲線によりその外形を連続的に形成している。このようにすることで前記実施例１の蓋材Ｆ２と同様に、収縮フィルムＳの収縮時の強制的な折り畳み力に従い、カップ容器Ｃの開口部６側面に沿って容易に折り畳まれることが可能になる。また、曲線の外形を有するフラップ８は、最初にカップ容器Ｃの開口部６からフラップ８を摘んで引き剥がす際に、引き剥がしの動作により蓋材Ｆ２の本体９と隣り合うフラップ８同士の間に亀裂が入り蓋材Ｆ２が破壊されることを防ぐ効果を発揮する。【００２３】  なお、カップ容器Ｃの開口部６に対応する円７部分には公知の折り手段が形成されていても構わず、さらにフラップ８の内部に実施例１に記載された公知の折り手段がさらに形成されていても構わない。
【実施例３】
【００２４】  図７に示すように、本実施例の蓋材Ｆ３は実施例１と同様に、カップ容器Ｃの開口部６に接着する部分の円１０から、フラップ１１が鍔状にはみ出している。そして前記フラップ１１内に公知の折り手段が同心円状、放射状及び前記放射状に対して角度を持った直線状に形成されている。このようにすることで、収縮フィルムＳがカップ容器Ｃの外形に沿って収縮する際の強制的な折り畳み力に容易に従い、前記折り手段に誘導されて不規則ではあるがカップ容器Ｃの開口部６の側面に沿って折り畳まれる。【００２５】  なお、前記フラップ１１内の折り手段は、必ずしも規則正しい直線や曲線により構成される必要はなく、不規則に配置された直線や曲線及びそれらの混合した状態の折り手段が形成されていても構わない。
【符号の説明】
【００２６】    Ｆ１、Ｆ２、Ｆ３  蓋材
Ｃ  カップ容器
Ｓ  収縮フィルム
１、９  本体
２、８、１１  フラップ
３、７、１０  円
４、５  折り筋
【図１】
2014055030.tif 000003
【図２】
2014055030.tif 000004
【図３】
2014055030.tif 000005
【図４】
2014055030.tif 000006
【図５】
2014055030.tif 000007
【図６】
2014055030.tif 000008
【図７】
2014055030.tif 000009